(57)【要約】【課題】短時間で効率よくエレベータの釣り合いおもりの据え付け作業を行えるようにする。【解決手段】吊りロープ１２の末端が止着され、ガイドレール１１ａ、１１ｂに摺動自在に嵌合するガイドシュー１３ａ、１３ｂを両側に有する上部枠１４と、両側にガイドレール１１ａ、１１ｂに摺動自在に嵌合するガイドシュー２４ａ、２４ｂを有する下部枠１５とからなる枠部材を設け、数個の合計重量が必要な釣り合いおもり重量になるおもり１６を所要数だけ上部枠１４と下部枠１５の間で上下方向に配列し、おもり１６同士を連結する。【選択図】図１
2011037577.tif 000002
【特許請求の範囲】
【請求項１】
吊りロープの末端が止着され、ガイドレールに摺動自在に嵌合するガイドシューを両側に有する上部枠と、両側に前記ガイドレールに摺動自在に嵌合するガイドシューを有する下部枠とからなる枠部材を備え、
数個の合計重量が必要な釣り合いおもり重量になるおもりを所要数だけ前記上部枠と下部枠の間で上下方向に配列し、該おもり同士を連結したことを特徴とするエレベータの釣り合いおもり。
【請求項２】
前記上部枠または下部枠は、重量調整用の予備おもりを搭載可能であることを特徴とする請求項１に記載のエレベータの釣り合いおもり。
【請求項３】
ガイドレールに摺動自在に嵌合するガイドシューを上下両端側に有する左縦枠と右縦枠とからなる枠部材と、前機左右縦枠の間に架け渡され、吊りローブの端末が止着されるロープ固定部材と、を備え、
数個の合計重量が必要な釣り合いおもり重量になるおもりを所要数だけ前記左縦枠と右縦枠の間で左右方向に配列し、該おもり同士を連結したことを特徴とするエレベータの釣り合いおもり。
【請求項４】
前記左縦枠と右縦枠の下端部には、重量調整用の予備おもりを搭載可能であることを特徴とする請求項３に記載のエレベータの釣り合いおもり。
【請求項５】
前記おもりは、１個あたりの重量が５０〜３００ｋｇであることを特徴とする請求項１または３に記載のエレベータの釣り合いおもり。
【発明の詳細な説明】
【技術分野】
【０００１】
本発明は、エレベータの釣り合いおもりに係り、特に、釣り合い重りの据え付け作業を容易するエレベータの釣り合いおもりに関する。
【背景技術】
【０００２】
エレベータでは、乗りかごの重量に釣り合いおもりの重量をバランスさせることにより、巻上機の負荷を軽減させている。従来の釣り合いおもりは、必要な数のおもりを釣り合いおもり枠に搭載することで、乗りかごの重量とバランスさせている。
【０００３】
そこで、図６に、従来の釣り合いおもりの例として、特許文献１に記載されているものを示す。
【０００４】
この釣り合いおもりは、ガイドレールに沿うように設けられる一対の枠体１と、枠体１に両端が保持される複数のウェイト２と、これらのウェイト２を貫通するように設けられる通しボルト３と、これらの通しボルト３と主ウェイト２とを一体に固定するナット４とを備えている。なお、５は吊りロープを示し、６は、ガイドレールを摺動するガイドシューを示している。  
このような釣り合い重りでは、ウェイト２を必要な数だけ枠体１に積載している。
【先行技術文献】
【特許文献】
【０００５】
【特許文献１】特開２０００−３１３５７９号公報
【発明の概要】
【発明が解決しようとする課題】
【０００６】
一般に、釣り合いおもりに用いられるウェイトには、１個の重量が１０〜４０ｋｇの鋳物または鉄板が用いられている。乗りかごの重量にバランスさせるためには、一台あたり数十個ものおもりが必要となる。
【０００７】
このようなウェイトの積載は、作業員が手で持ち上げて積載しているため、人数を要するとともに作業時間がかかり、効率的ではなかった。
【０００８】
そこで、本発明の目的は、前記従来技術の有する問題点を解消し、短時間で効率よく据え付け作業を行えるようにするエレベータの釣り合いおもりを提供することにある。
【課題を解決するための手段】
【０００９】
前記の目的を達成するために、本発明は、吊りロープの末端が止着され、ガイドレールに摺動自在に嵌合するガイドシューを両側に有する上部枠と、両側に前記ガイドレールに摺動自在に嵌合するガイドシューを有する下部枠とからなる枠部材を備え、数個の合計重量が必要な釣り合いおもり重量になるおもりを所要数だけ前記上部枠と下部枠の間で上下方向に配列し、該おもり同士を連結したことを特徴とするものである。
【００１０】
また、本発明は、ガイドレールに摺動自在に嵌合するガイドシューを上下両端側に有する左縦枠と右縦枠とからなる枠部材と、前機左右縦枠の間に架け渡され、吊りローブの端末が止着されるロープ固定部材と、を備え、
数個の合計重量が必要な釣り合いおもり重量になるおもりを所要数だけ前記左縦枠と右縦枠の間で左右方向に配列し、該おもり同士を連結したことを特徴とするものである。
【００１１】
本発明では、前記おもりは、１個あたりの重量が５０〜３００ｋｇのものがもいられる。
【００１２】
また、本発明では、前記上部枠または下部枠は、重量調整用の予備おもりを搭載可能に構成することもできる。  
また、左縦枠と右縦枠の下端部には、重量調整用の予備おもりを搭載可能に構成することもできる。
【発明の効果】
【００１３】
本発明によれば、従来のように１個の重量が１０〜４０ｋｇのおもりを数十個おもり枠に積載する必要がなく、釣り合いおもりの据え付け作業を短時間で効率的に行うことできる。
【図面の簡単な説明】
【００１４】
【図１】本発明によるエレベータの釣り合いおもりの第１実施形態を示す正面図である。
【図２】同エレベータの釣り合いおもりにおいて、重量調整の補助おもりを搭載した状態を示す正面図である。
【図３】同エレベータの釣り合いおもりにおいて、重量の異なる場合の釣り合いおもりの正面図である。
【図４】本発明によるエレベータの釣り合いおもりの第２実施形態を示す正面図である。
【図５】同エレベータの釣り合いおもりにおいて、重量調整の補助おもりを搭載した状態を示す正面図である。
【図６】従来のエレベータの釣り合いおもりを示す正面図である。
【発明を実施するための形態】
【００１５】
以下、本発明によるエレベータの釣り合いおもりの一実施形態について、添付の図面を参照しながら説明する。  
第１実施形態  
図１は、本発明の第１実施形態によるエレベータの釣り合いおもりを示す。  
この図１において、参照番号１０は、釣り合いおもりの全体を示している。図１において、参照番号１１ａ、１１ｂは、釣り合いおもり１０の昇降を案内するガイドレールを示している。参照番号１２は、吊りロープを示している。
【００１６】
本実施形態の釣り合いおもり１０は、おもりの枠としては、上部枠１４と下部枠１５のふたつの枠部材から構成されており、従来の釣り合いおもりのように縦枠は用いられていない。そして、上部枠１４と下部枠１５の間に、横長のおもり１６が複数個上下方向に配列されている。
【００１７】
上部枠１４は、水平方向に平行な梁部材１７、１８と、縦部材１９ａ、１９ｂを四方組みしてなる枠部材である。吊りロープ１２の端末は、上側の梁部材１７に固定金具２０を介して止着されている。この梁部材１７の両端には、ガイドレール１１ａ、１１ｂに摺動自在に嵌合するガイドシュー１３ａ、１３ｂが取り付けられている。
【００１８】
同様に、下部枠１５は、梁部材２１、２２と縦部材２３ａ、２３ｂとを四方組した枠部材である。下側の梁部材２２の両端部には、ガイドレール１１ａ、１１ｂに摺動自在に嵌合するガイドシュー２４ａ、２４ｂが取り付けられている。
【００１９】
本実施形態による釣り合いおもり１０にあっては、横長のおもり１６を枠に積み上げる構成は採用せずに、おもり１６同士を連結部材２５で上下に連結する構成になっている。そして最上部にあるおもり１６は、上部枠１４の梁部材１８に連結部材２５により連結されている。最下部のおもり１６は、下部枠１５の上側の梁部材２１に連結部材２５により連結されている。
【００２０】
本実施形態では、一つ一つのおもり１６の重量は、従来のおもりに較べると格段に重いものが用いられており、好ましくは、５０〜３００ｋｇの重量がある。この実施形態では、乗りかごにバランスさせるために４つのおもり１６を連結部材２５で連結している。
【００２１】
以上のように構成される釣り合いおもり１０によれば、上部枠１４は、案内のためのガイドシュー１３ａ、１３ｂの支持と、懸架のための吊りローブ１２を止着する機能を主として担い、下部枠１５は、案内のためのガイドシュー２４ａ、２４ｂの支持の機能を主として担うようになっている。その上で、一つ一つのおもり１６を大重量のものとして、数個のおもり１６で乗りかごの重量とバランスさせ、上部枠１４、これらのおもり１６、下部枠１５を上下に連結する構成になっている。
【００２２】
このため、従来のように１個の重量が１０〜４０ｋｇのおもりを数十個おもり枠に積載する必要がなく、数個、この実施例では４つのおもり１６で間に合い、釣り合いおもりの据え付け作業を短時間で効率的に行えるという利点がある。
【００２３】
さらに、図２に示すように、上部枠１４と下部枠１５には、それぞれ梁部材１７、１８０の間または梁部材２１、２２の間に補助おもり２６を積むことも可能である。これは、個々のエレベータごとに重量の微調整するためのおもりであるので、個数も少ないので、積む作業に時間はかからない。
【００２４】
なお、図３は、図１に較べて軽量のエレベータに適用される釣り合いおもりを示している。  
この図３に示されるように、ガイドレール１１ａ、１１ｂの幅が同じであれば、上部枠１４と下部枠１４とともにおもり１６は共通になり、おもり１６の数が異なってくる。重量の微調整は、補助おもり２６で行う点は同様である。
【００２５】
第２実施形態  
次に、本発明の第２実施形態に係るエレベータの釣り合い重りについて、図４を参照して説明する。  
この第２実施形態は、縦長のおもり３０を左右方向に配列するようにした実施形態である。  
本実施形態の釣り合いおもり１０の枠としては、左縦枠３１と右縦枠３２のふたつの枠部材から構成されている。
【００２６】
左縦枠３１と右縦枠３２は、上下方向に平行に配置される形材である。左縦枠３１の上下両端には、ガイドレール１１ａに摺動自在に嵌合するガイドシュー１３ａ、２４ａが取り付けられている。同様に、右縦枠３２の上下両端には、ガイドレール１１ｂに摺動自在に嵌合するガイドシュー１３ｂ、２４ｂが取り付けられている。
【００２７】
この実施形態では、左縦枠３１と右縦枠３２の間に３つのおもり３０が左右方向に配列されて、おもり同士が連結部材３５、３６によって連結されている。一つ一つのおもり３０の重量は、従来のおもりに較べると格段に重いものが用いられており、好ましくは、５０〜３００ｋｇの重量がある。
【００２８】
上側の連結部材３５には、吊りロープ１２が止着される固定金具３７が固定されている。また、おもり３０の下端を連結する連結部材３６の下方には、梁部材３８が配置されており、第１実施形態と同様に重量微調整用の補助おもり２６を積められるようになっている。
【００２９】
以上のように構成される釣り合いおもり１０によれば、左縦枠３１と右縦枠３２に、案内のためのガイドシュー１３ａ、１３ｂ、２４ａ、２４ｂの支持を主として担わせ、懸架のための吊りローブ１２を止着する機能は連結部材３５が担うようにしている。その上で、一つ一つのおもり３０の重量を大きなものとして、数個のおもり３０で乗のかごの重量とバランスさせ、左縦枠３１、右縦枠３２とこれらのおもり３０を左右に連結する構成になっている。  
このため、従来のように１個の重量が１０〜４０ｋｇのおもりを数十個おもり枠に積載する必要がなく、釣り合いおもりの据え付け作業を短時間で効率的に行えるという利点がある。
【００３０】
なお、図５に示されるように、ガイドレール１１ａ、１１ｂの幅が大きい場合であれば、上部枠１４と下部枠１４とともにおもり３０は共通になり、おもり２４の数が異なってくる。重量の微調整は、補助おもり２６で行う点は同様である。
【符号の説明】
【００３１】
１０…釣り合いおもり、１１ａ、１１ｂ…ガイドレール、１２…吊りロープ、１３ａ、１３ｂ…ガイドシュー、１４…上部枠、１５…下部枠、１６…おもり、２０…固定金具、２４ａ、２４ｂ…ガイドシュー、２５…連結部材、２６…補助おもり、３０…おもり、３１…左縦枠、３２…右縦枠
【図１】
2011037577.tif 000003
【図２】
2011037577.tif 000004
【図３】
2011037577.tif 000005
【図４】
2011037577.tif 000006
【図５】
2011037577.tif 000007
【図６】
2011037577.tif 000008